(57)【要約】      （修正有）【課題】被検体の動きをできるだけ正確に検出することのできる磁気共鳴装置を提供する。【解決手段】肝臓を含む撮影部位から磁気共鳴信号を発生させるためのスキャンを実行する磁気共鳴装置であって、複数のチャネルＣＨ１〜ＣＨ８を有するコイル４と、チャネルＣＨ１〜ＣＨ８の中から、肝臓の端部の近くに配置されるチャネルＣＨ１、ＣＨ２、ＣＨ５、およびＣＨ６を選択するチャネル選択手段と、チャネルＣＨ１、ＣＨ２、ＣＨ５、およびＣＨ６が受信した磁気共鳴信号に基づいて、呼吸信号を生成する呼吸信号生成手段とを有する磁気共鳴装置。【選択図】図２
2015163109.tif 000002
【特許請求の範囲】
【請求項１】
動く部位を含む撮影部位から第１の磁気共鳴信号を発生させるためのスキャンを実行する磁気共鳴装置であって、
前記第１の磁気共鳴信号を受信する複数のチャネルを有するコイルと、
前記複数のチャネルの中から、前記動く部位の端部の近くに配置される第１のチャネルを選択するチャネル選択手段と、
前記第１のチャネルが受信した前記第１の磁気共鳴信号に基づいて、前記スキャンにおける前記撮影部位の動きを表す動き情報を含む生体信号を生成する生成手段と、を有する磁気共鳴装置。
【請求項２】
前記チャネル選択手段は、
前記複数のチャネルの中から、前記動く部位の端部の近くに配置されるチャネルを特定するための情報を含むデータベースに基づいて、前記複数のチャネルの中から前記第１のチャネルを選択する、請求項１に記載の磁気共鳴装置。
【請求項３】
前記チャネル選択手段は、前記データベースに基づいて、前記複数のチャネルの中から、少なくとも二つの第１のチャネルを選択し、
前記生成手段は、前記少なくとも二つの第１のチャネルが受信した前記第１の磁気共鳴信号を合成し、合成により得られた合成信号に基づいて、前記生体信号を生成する、請求項２に記載の磁気共鳴装置。
【請求項４】
前記複数のチャネルは、前記第１のチャネルよりも前記動く部位の端部から離れた位置に配置される第２のチャネルを含んでおり、
前記第２のチャネルが受信した前記第１の磁気共鳴信号は、前記生体信号を生成するためには使用されない、請求項１〜３のうちのいずれか一項に記載の磁気共鳴装置。
【請求項５】
前記コイルは、
前記複数のチャネルのうちの少なくとも一つ以上のチャネルからなるコイルモードを複数有している、請求項１〜４のうちのいずれか一項に記載の磁気共鳴装置。
【請求項６】
前記コイルが有する複数のコイルモードの中から、前記第１の磁気共鳴信号を受信するために使用する第１のコイルモードを選択するコイルモード選択手段を有し、
前記第１のコイルモードは前記第１のチャネルを有している、請求項５に記載の磁気共鳴装置。
【請求項７】
前記第１のコイルモードは、前記第１のチャネルよりも前記動く部位の端部から離れた位置に配置される第２のチャネルを有し、
前記第２のチャネルが受信した前記第１の磁気共鳴信号は、前記生体信号を生成するためには使用されない、請求項６に記載の磁気共鳴装置。
【請求項８】
前記スキャンの前に、前記撮影部位から第２の磁気共鳴信号を発生させるための他のスキャンを実行するスキャン部と、
前記他のスキャンにおいて前記コイルのチャネルごとに収集された前記第２の磁気共鳴信号に基づいて、前記チャネルごとに、前記撮影部位の所定方向に関する各位置の信号値を表すプロファイルを作成するプロファイル作成手段と、
を有し、
前記チャネル選択手段は、
前記プロファイルに基づいて、前記複数のチャネルの中から前記第１のチャネルを選択する、請求項１に記載の磁気共鳴装置。
【請求項９】
前記チャネル選択手段は、前記プロファイルに基づいて、前記複数のチャネルの中から、少なくとも二つの第１のチャネルを選択し、
前記生成手段は、前記少なくとも二つの第１のチャネルが受信した前記第１の磁気共鳴信号を合成し、合成により得られた合成信号に基づいて、前記生体信号を生成する、請求項８に記載の磁気共鳴装置。
【請求項１０】
前記複数のチャネルは、前記第１のチャネルよりも前記動く部位の端部から離れた位置に配置される第２のチャネルを含んでおり、
前記第１のチャネルと前記第２のチャネルは、前記所定方向の位置が異なっている、請求項８又は９に記載の磁気共鳴装置。
【請求項１１】
前記チャネル選択手段は、前記プロファイルの特性を表す特性値を算出し、前記特性値に基づいて、前記第１のチャネルを選択する、請求項８〜１０のうちのいずれか一項に記載の磁気共鳴装置。
【請求項１２】
前記チャネル選択手段は、
前記プロファイルの前記所定方向の範囲を、第１の範囲と第２の範囲に分け、前記第１の範囲における第１の積分値と、前記第２の範囲における第２の積分値とを算出し、
前記第１の積分値と前記第２の積分値とに基づいて前記特性値を算出する、請求項１１に記載の磁気共鳴装置。
【請求項１３】
前記他のスキャンは、前記撮影部位を横切るスライスから前記第２の磁気共鳴信号を発生させており、
前記スライスは前記所定方向に平行である、請求項８〜１２のうちのいずれか一項に記載の磁気共鳴装置。
【請求項１４】
前記スライスはサジタルスライスである、請求項１３に記載の磁気共鳴装置。
【請求項１５】
前記コイルは、
前記複数のチャネルのうちの少なくとも一つ以上のチャネルからなるコイルモードを複数有している、請求項８〜１４のうちのいずれか一項に記載の磁気共鳴装置。
【請求項１６】
前記コイルが有する複数のコイルモードの中から、前記第１の磁気共鳴信号および前記第２の磁気共鳴信号を受信するために使用する第１のコイルモードを選択するコイルモード選択手段を有し、
前記第１のコイルモードは前記第１のチャネルを有している、請求項１５に記載の磁気共鳴装置。
【請求項１７】
前記第１のコイルモードは、前記第１のチャネルよりも前記動く部位の端部から離れた位置に配置される第２のチャネルを有し、
前記第２のチャネルが受信した前記第１の磁気共鳴信号は、前記生体信号を生成するためには使用されない、請求項１６に記載の磁気共鳴装置。
【請求項１８】
前記スキャンは、前記撮影部位から、前記撮影部位の画像を再構成するための第３の磁気共鳴信号を発生させる、請求項１〜１７のうちのいずれか一項に記載の磁気共鳴装置。
【請求項１９】
前記生体信号に基づいて、前記第３の磁気共鳴信号を画像再構成の信号として受け入れるか否かを判断する判断手段を有する、請求項１８に記載の磁気共鳴装置。
【請求項２０】
前記第１の磁気共鳴信号は、ｋ空間の中心のデータを表す信号である、請求項１〜１９のうちのいずれか一項に記載の磁気共鳴装置。
【請求項２１】
前記動く部位は肝臓であり、
前記動く部位の端部は、肝臓の肺側の端部である、請求項１〜２０のうちのいずれか一項に記載の磁気共鳴装置。
【請求項２２】
前記動く部位は肝臓であり、
前記動く部位の端部は、肝臓の肺側とは反対側の端部である、請求項１〜２０のうちのいずれか一項に記載の磁気共鳴装置。
【請求項２３】
前記生体信号は呼吸信号である、請求項１〜２２のうちのいずれか一項に記載の磁気共鳴装置。
【請求項２４】
動く部位を含む撮影部位から第１の磁気共鳴信号を発生させるためのスキャンを実行するスキャン部と、前記第１の磁気共鳴信号を受信する複数のチャネルを有するコイルとを備えた磁気共鳴装置に適用されるプログラムであって、
前記複数のチャネルの中から、前記動く部位の端部の近くに配置される第１のチャネルを選択するチャネル選択処理と、
前記第１のチャネルが受信した前記第１の磁気共鳴信号に基づいて、前記スキャンにおける前記撮影部位の動きを表す動き情報を含む生体信号を生成する生成処理と、
をコンピュータに実行させるためのプログラム。
【発明の詳細な説明】
【技術分野】
【０００１】
本発明は、動く部位を含む撮影部位から磁気共鳴信号を収集する磁気共鳴装置、および当該磁気共鳴装置に適用されるプログラムに関する。
【背景技術】
【０００２】
体動補正を行う手法として、ＤＣセルフナビゲータ法が知られている（非特許文献１参照）。
【先行技術文献】
【非特許文献】
【０００３】
【非特許文献１】Brau et al., Magnetic Resonance in Medicine 55:263-270 (2006)
【発明の概要】
【発明が解決しようとする課題】
【０００４】
ＤＣセルフナビゲータ法では、ｋ空間の中心のデータを表すＤＣ信号を収集し、このＤＣ信号を用いることにより、体動を補正することができる。また、ＤＣセルフナビゲータ法では、イメージング信号を収集するために使用されるＲＦパルスと同じＲＦパルスを用いて、ＤＣ信号を収集することができる。したがって、イメージング信号とナビゲータ信号とを別々のＲＦパルスで収集した場合に起こるスピン飽和効果を考える必要はなく、フリップ角の大きいＲＦパルス（例えば、９０°パルス）を用いた２Ｄ撮影に適している。
【０００５】
また、被検体の磁気共鳴信号の受信には、一般的に複数のチャネルを有するコイルが使用される。特に、近年は、広範囲の部位の撮影に適しているなどの理由から、多チャンネルのコイルが使用されている。
【０００６】
しかし、ＤＣセルフナビゲータ法の場合、撮影部位とチャネルとの位置関係によっては、コイルが有する複数のチャネルの中に、被検体の動きの検出に適していないチャネルが含まれることがある。したがって、被検体の動きを検出することが難しく、動きアーチファクトが低減できない場合がある。このような理由から、例えばＤＣセルフナビゲータ法を用いて被検体を撮影する場合に、被検体の動きをできるだけ正確に検出する方法が望まれている。
【課題を解決するための手段】
【０００７】
本発明の第１の観点は、動く部位を含む撮影部位から第１の磁気共鳴信号を発生させるためのスキャンを実行する磁気共鳴装置であって、
前記第１の磁気共鳴信号を受信する複数のチャネルを有するコイルと、
前記複数のチャネルの中から、前記動く部位の端部の近くに配置される第１のチャネルを選択するチャネル選択手段と、
前記第１のチャネルが受信した前記第１の磁気共鳴信号に基づいて、前記スキャンにおける前記撮影部位の動きを表す動き情報を含む生体信号を生成する生成手段と、を有する磁気共鳴装置である。
【０００８】
本発明の第２の観点は、動く部位を含む撮影部位から第１の磁気共鳴信号を発生させるためのスキャンを実行するスキャン部と、前記第１の磁気共鳴信号を受信する複数のチャネルを有するコイルとを備えた磁気共鳴装置に適用されるプログラムであって、
前記複数のチャネルの中から、前記動く部位の端部の近くに配置される第１のチャネルを選択するチャネル選択処理と、
前記第１のチャネルが受信した前記第１の磁気共鳴信号に基づいて、前記スキャンにおける前記撮影部位の動きを表す動き情報を含む生体信号を生成する生成処理と、
をコンピュータに実行させるためのプログラムである。
【発明の効果】
【０００９】
複数のチャネルの中から、動く部位の端部の近くに配置されるチャネルを選択することができるので、より正確な動き情報を取得することができる。
【図面の簡単な説明】
【００１０】
【図１】本発明の第１の形態の磁気共鳴装置の概略図である。
【図２】コイル４の説明図である。
【図３】コイル部ＡＣのチャネルＣＨ１〜ＣＨ４と撮影部位との位置関係を概略的に示す図である。
【図４】コイル部ＰＣのチャネルＣＨ５〜ＣＨ８と撮影部位との位置関係を概略的に示す図である。
【図５】プロセッサ８が実行する処理を示す図である。
【図６】第１の形態で実行されるスキャンの説明図である。
【図７】ローカライザスキャンＬＳにより取得された画像Ｄの一例を概略的に示す図である。
【図８】オペレータによって設定されたｎ枚のスライスＬ１〜Ｌｎを概略的に示す図である。
【図９】本スキャンＭＳの説明図である。
【図１０】ローカライザスキャンＬＳおよび本スキャンＭＳを実行するときのＭＲ装置の動作フローを示す図である。
【図１１】期間Ｐ１においてシーケンスＣ１〜Ｃｎを実行するときの説明図である。
【図１２】期間Ｐ２においてシーケンスＣ１〜Ｃｎを実行するときの説明図である。
【図１３】期間ＰｍにおいてシーケンスＣ１〜Ｃｎを実行するときの説明図である。
【図１４】期間Ｐ１においてシーケンスＣ１が実行されたときの様子を示す図である。
【図１５】期間Ｐ１においてシーケンスＣ２が実行されたときの様子を示す図である。
【図１６】期間Ｐ１においてシーケンスＣｎが実行されたときの様子を示す図である。
【図１７】期間Ｐ１においてチャネルＣＨ１〜ＣＨ８から出力された信号を合成するときの様子を示す図である。
【図１８】合成信号Ａ１の積分値Ｓ１を示す図である。
【図１９】期間Ｐ２における呼吸信号を算出するときの説明図である。
【図２０】各期間における呼吸信号を概略的に示す図である。
【図２１】呼吸信号を示す図である。
【図２２】チャネルＣＨ１およびＣＨ３と肝臓との位置関係を概略的に示す図である。
【図２３】データベースに登録されているデータを概略的に示す図である。
【図２４】期間Ｐ１における呼吸信号を算出するときの説明図である。
【図２５】期間Ｐ２における呼吸信号を算出するときの説明図である。
【図２６】第１の形態の方法で得られた呼吸信号を概略的に示す図である。
【図２７】イメージング信号の受入れ、拒否を判断する方法の説明図である。
【図２８】イメージング信号Ｂ１１〜Ｂ１ｎを再収集するときの説明図である。
【図２９】期間Ｐｍ＋２においてシーケンスＣ１〜Ｃｎを実行するときの説明図である。
【図３０】第２の形態においてプロセッサが実行する処理の説明図である。
【図３１】第２の形態で実行されるスキャンの説明図である。
【図３２】プレスキャンＰＳの説明図である。
【図３３】第２の形態におけるＭＲ装置の動作フローを示す図である。
【図３４】チャネルＣＨ１〜ＣＨ８がＤＣ信号Ａ０を受信するときの様子を示す図である。
【図３５】チャネルＣＨ１〜ＣＨ８の出力信号Ａ０１〜Ａ０８の各々をｚ方向にフーリエ変換したときの様子を示す図である。
【図３６】プロファイルＦ１〜Ｆ８のｚ方向の範囲と、スライスＬｃのｚ方向の範囲との対応関係を概略的に示す図である。
【図３７】中心位置ｚｃを示す図である。
【図３８】プロファイルごとに算出された積分値ＳａおよびＳｂを示す図である。
【図３９】プロファイルごとに算出した積分値の比を示す図である。
【図４０】第３の形態においてメモリに記憶されているデータベースを示す図である。
【図４１】第３の形態においてプロセッサが実行する処理の説明図である。
【図４２】第３の形態におけるＭＲ装置の動作フローを示す図である。
【図４３】第３の形態における本スキャンＭＳの説明図である。
【図４４】第４の形態においてプロセッサが実行する処理の説明図である。
【図４５】第４の形態におけるＭＲ装置の動作フローを示す図である。
【図４６】プレスキャンＰＳの説明図である。
【図４７】チャネルＣＨ１〜ＣＨ４の出力信号Ａ０１〜Ａ０４の各々をｚ方向にフーリエ変換したときの様子を示す図である。
【図４８】プロファイルＦ１〜Ｆ４の比をＪ１〜Ｊ４を示す図である。
【発明を実施するための形態】
【００１１】
以下、発明を実施するための形態について説明するが、本発明は、以下の形態に限定されることはない。
【００１２】
（１）第１の形態
図１は、本発明の第１の形態の磁気共鳴装置の概略図である。
磁気共鳴装置（以下、「ＭＲ装置」と呼ぶ。ＭＲ：Magnetic Resonance）１００は、マグネット２、テーブル３、受信ＲＦコイル（以下、単に「コイル」と呼ぶ）４などを有している。
【００１３】
マグネット２は、被検体１２が収容されるボア２１を有している。またマグネット２には、超伝導コイル、勾配コイル、ＲＦコイルなど（図示せず）が内蔵されている。超伝導コイルは静磁場を印加し、勾配コイルは勾配磁場を印加し、ＲＦコイルはＲＦパルスを印加する。
【００１４】
テーブル３は、クレードル３ａを有している。クレードル３ａは、ボア２１内に移動できるように構成されている。クレードル３ａによって、被検体１２はボア２１に搬送される。
コイル４は、被検体１２の胴部に取り付けられている。
【００１５】
図２は、コイル４の説明図である。
コイル４は、コイル部４ａとコイル部４ｂとを有している。コイル部４ａは、被検体１２の前側（腹部側）に配置されるコイルであり、４つのチャネルＣＨ１、ＣＨ２、ＣＨ３、およびＣＨ４を有している。４つのチャネルＣＨ１〜ＣＨ４は２行２列に並んでいる。
【００１６】
コイル部４ｂは、被検体１２の後側（背中側）に配置されるコイルであり、４つのチャネルＣＨ５、ＣＨ６、ＣＨ７、およびＣＨ８を有している。４つのチャネルＣＨ５〜ＣＨ８は２行２列に並んでいる。
第１の形態では、撮影対象の臓器は肝臓であるので、コイル部４ａおよび４ｂは肝臓の近くに装着される。
【００１７】
図３は、コイル部４ａのチャネルＣＨ１〜ＣＨ４と撮影部位との位置関係を概略的に示す図である。図３（ａ）はｚｘ面内におけるチャネルの位置を示しており、図３（ｂ）は図３（ａ）のｄ−ｄ断面におけるチャネルの位置を示している。
【００１８】
チャネルＣＨ１およびＣＨ２はｘ方向に並んでおり、チャネルＣＨ３およびＣＨ４もｘ方向に並んでいる。チャネルＣＨ３は、チャネルＣＨ１と比較すると、ｘ方向の位置が同じであるが、ｚ方向の位置が異なっている。また、チャネルＣＨ４は、チャネルＣＨ２と比較すると、ｘ方向の位置が同じであるが、ｚ方向の位置が異なっている。チャネルＣＨ１およびＣＨ２は、肝臓の端部Ｅ１の近くに配置されているが、チャネルＣＨ３およびＣＨ４は、肝臓の端部Ｅ１から−ｚ方向に離れた位置に配置される。例えばチャネルＣＨ３は、肝臓の肺側とは反対側の端部Ｅ２の近くに配置される。
【００１９】
図４は、コイル部４ｂのチャネルＣＨ５〜ＣＨ８と撮影部位との位置関係を概略的に示す図である。図４（ａ）はｚｘ面内におけるチャネルの位置を示しており、図４（ｂ）は図４（ａ）のｄ−ｄ断面におけるチャネルの位置を示している。
【００２０】
チャネルＣＨ５およびＣＨ６はｘ方向に並んでおり、チャネルＣＨ７およびＣＨ８もｘ方向に並んでいる。チャネルＣＨ７は、チャネルＣＨ５と比較すると、ｘ方向の位置が同じであるが、ｚ方向の位置が異なっている。また、チャネルＣＨ８は、チャネルＣＨ６と比較すると、ｘ方向の位置が同じであるが、ｚ方向の位置が異なっている。チャネルＣＨ５およびＣＨ６は、肝臓の端部Ｅ１の近くに配置されているが、チャネルＣＨ７およびＣＨ８は、肝臓の端部Ｅ１から−ｚ方向に離れた位置に配置される。
【００２１】
図１に戻って説明を続ける。
ＭＲ装置１００は、更に、送信器５、勾配磁場電源６、コンピュータ７、操作部１０、および表示部１１などを有している。
【００２２】
送信器５はＲＦコイルに電流を供給し、勾配磁場電源６は勾配コイルに電流を供給する。尚、マグネット２、送信器５、勾配磁場電源６を合わせたものがスキャン部に相当する。
【００２３】
コンピュータ７は、表示部１１に必要な情報を伝送したり、画像を再構成するなど、ＭＲ装置１００の各種の動作を実現するように、ＭＲ装置１００の各部の動作を制御する。コンピュータ７は、プロセッサ８およびメモリ９などを有している。
【００２４】
メモリ９には、プロセッサ８により実行されるプログラムや、後述するデータベース（図２３参照）などが記憶されている。プロセッサ８は、メモリ９に記憶されているプログラムを読み出し、プログラムに記述されている処理を実行する。図５に、プロセッサ８が実行する処理を示す。プロセッサ８は、メモリ９に記憶されているプログラムを読み出すことにより、スライス設定手段８１〜判断手段８４などを構成する。
【００２５】
スライス設定手段８１は、操作部１０から入力された情報に基づいて、スライスを設定する。
チャネル選択手段８２は、後述するデータベースに基づいて、コイル４が有するチャネルＣＨ１〜ＣＨ８の中から、肝臓の端部Ｅ１（図３参照）の近くに配置されるチャネルを選択する。
呼吸信号生成手段８３は、チャネル選択手段８２により選択されたチャネルの受信信号に基づいて、呼吸信号を生成する。
判断手段８４は、イメージング信号を画像再構成の信号として受け入れるか否かを判断する。
【００２６】
プロセッサ８は、スライス設定手段８１〜判断手段８４を構成する一例であり、所定のプログラムを実行することにより、これらの手段として機能する。
【００２７】
操作部１０は、オペレータにより操作され、種々の情報をコンピュータ７に入力する。表示部１１は種々の情報を表示する。
ＭＲ装置１００は、上記のように構成されている。
【００２８】
図６は、第１の形態で実行されるスキャンの説明図である。
第１の形態では、ローカライザスキャンＬＳおよび本スキャンＭＳなどが実行される。
【００２９】
ローカライザスキャンＬＳは、スライスを設定するときに使用される画像Ｄを取得するためのスキャンである。ローカライザスキャンＬＳでは、アキシャル画像、サジタル画像、コロナル画像が取得される。図７に、ローカライザスキャンＬＳにより取得された画像Ｄとして、コロナル画像のみが示されている。
【００３０】
オペレータは、画像Ｄに基づいてスライスを設定する。図８に、オペレータによって設定されたｎ枚のスライスＬ１〜Ｌｎを概略的に示す。図８には、サジタルスライスが設定された例が示されているが、本発明は、サジタルスライスに限定されることはなく、アキシャルスライス、コロナルスライス、およびオブリークスライスでも適用可能である。スライスＬ１〜Ｌｎを設定した後、本スキャンＭＳが実行される。
【００３１】
図９は本スキャンＭＳの説明図である。
本スキャンＭＳは、マルチスライス法により、ｎ枚のスライスＬ１〜Ｌｎの画像を取得するためのスキャンである。本スキャンＭＳでは、先ず、期間Ｐ１において、スライスＬ１〜Ｌｎの画像を取得するためのシーケンスＣ１〜Ｃｎが実行される。図９には、シーケンスＣ１の例が概略的に示されている。シーケンスＣ１は、ＤＣセルフナビゲータ法により、ｋ空間の中心のデータを表すＭＲ信号（以下、「ＤＣ信号」と呼ぶ）Ａと、画像を作成するために使用されるＭＲ信号（以下、「イメージング信号」と呼ぶ）Ｂとを収集するように構成されている。
【００３２】
シーケンスＣ１は、スライスＬ１を励起するためのＲＦパルスαを有している。ＲＦパルスαによって励起されたスライスＬ１からイメージング信号Ｂが収集される。また、ＲＦパルスαは、イメージング信号Ｂを収集するだけでなく、ＤＣ信号Ａを収集するためにも使用される。ＤＣ信号Ａは、勾配磁場ＧｙおよびＧｚが印加される直前に設けられた待ち時間Ｔｗａｉｔの間に収集される。待ち時間Ｔｗａｉｔは、例えば２０μｓである。
【００３３】
シーケンスＣ１を実行した後、スライスＬ２〜Ｌｎの画像を取得するためのシーケンスＣ２〜Ｃｎが順に実行される。シーケンスＣ２〜Ｃｎは、ＲＦパルスαの励起周波数を除いて、シーケンスＣ１と同じシーケンスチャートで表される。したがって、期間Ｐ１では、シーケンスＣ１〜Ｃｎの各々を実行するたびに、ＤＣ信号Ａおよびイメージング信号Ｂが収集される。
【００３４】
期間Ｐ１においてシーケンスＣ１〜Ｃｎを実行した後、次の期間Ｐ２でもシーケンスＣ１〜Ｃｎが実行される。以下同様に、シーケンスＣ１〜Ｃｎが繰り返し実行される。図９には、期間Ｐ１〜Ｐｍにおいて実行されるシーケンスＣ１〜Ｃｎが示されている。尚、シーケンスＣ１〜Ｃｎの位相エンコード量は、期間ごとに変化する。
【００３５】
以下に、ローカライザスキャンＬＳおよび本スキャンＭＳを実行するときのＭＲ装置の動作フローについて具体的に説明する。
【００３６】
図１０は、ローカライザスキャンＬＳおよび本スキャンＭＳを実行するときのＭＲ装置の動作フローを示す図である。
ステップＳＴ１では、ローカライザスキャンＬＳが実行される。ローカライザスキャンＬＳを実行することにより、画像Ｄ（図７参照）が取得される。ローカライザスキャンＬＳを実行した後、ステップＳＴ２に進む。
【００３７】
ステップＳＴ２では、オペレータは操作部１０（図１参照）を操作し、画像Ｄを参考にしながらスライスＬ１〜Ｌｎ（図８参照）を設定するための情報を入力する。スライス設定手段８１（図５参照）は、操作部１０から入力された情報に基づいて、スライスＬ１〜Ｌｎを設定する。スライスＬ１〜Ｌｎを設定した後、ステップＳＴ３に進む。
【００３８】
ステップＳＴ３では、本スキャンＭＳが実行される。本スキャンＭＳでは、先ず、期間Ｐ１において、シーケンスＣ１〜Ｃｎが実行される（図１１参照）。
【００３９】
図１１は、期間Ｐ１においてシーケンスＣ１〜Ｃｎを実行するときの説明図である。
図１１には、期間Ｐ１においてシーケンスＣ１〜Ｃｎを実行することにより収集されるＤＣ信号Ａとイメージング信号Ｂとが概略的に示されている。尚、図１１では、期間Ｐ１で得られる複数のＤＣ信号Ａを区別するために、符号Ａには、添え字「１１」、「１２」、・・・「１ｎ」を付してある。同様に、イメージング信号Ｂを区別するために、符号Ｂにも、添え字「１１」、「１２」、・・・「１ｎ」を付してある。
【００４０】
期間Ｐ１では、先ず、シーケンスＣ１が実行される。シーケンスＣ１を実行することにより、ＤＣ信号Ａ１１とイメージング信号Ｂ１１とが収集される。イメージング信号Ｂ１１は、スライスＬ１のｋｙ＝３２のラインのデータとして使用される。シーケンスＣ１を実行した後、シーケンスＣ２が実行される。
【００４１】
シーケンスＣ２を実行することにより、ＤＣ信号Ａ１２とイメージング信号Ｂ１２とが収集される。イメージング信号Ｂ１２は、スライスＬ２のｋｙ＝３２のラインのデータとして使用される。
【００４２】
以下同様に、スライスＬ３〜Ｌｎの各々からＤＣ信号およびイメージング信号を収集するためのシーケンスが順に実行される。期間Ｐ１の最後に、スライスＬｎのデータを収集するためのシーケンスＣｎが実行される。シーケンスＣｎを実行することにより、ＤＣ信号Ａ１ｎと、イメージング信号Ｂ１ｎとが収集される。イメージング信号Ｂ１ｎは、スライスＬｎのｋｙ＝３２のラインのデータとして使用される。
【００４３】
したがって、期間Ｐ１の間に、スライスＬ１〜Ｌｎのｋｙ＝３２のデータを収集することができる。次に、期間Ｐ２に移行する。
【００４４】
図１２は期間Ｐ２においてシーケンスＣ１〜Ｃｎを実行するときの説明図である。
図１２では、期間Ｐ２で得られる複数のＤＣ信号Ａを区別するために、符号Ａには、添え字「２１」、「２２」、・・・「２ｎ」を付してある。同様に、イメージング信号Ｂを区別するために、符号Ｂにも、添え字「２１」、「２２」、・・・「２ｎ」を付してある。
【００４５】
期間Ｐ２では、先ず、シーケンスＣ１が実行される。シーケンスＣ１を実行することにより、ＤＣ信号Ａ２１とイメージング信号Ｂ２１とが収集される。イメージング信号Ｂ２１は、スライスＬ１のｋｙ＝３１のラインのデータを表している。シーケンスＣ１を実行した後、シーケンスＣ２〜Ｃｎが順に実行される。したがって、期間Ｐ２の間に、スライスＬ１〜Ｌｎのｋｙ＝３１のデータを収集することができる。
【００４６】
期間Ｐ２でｋｙ＝３１のデータを収集した後も、残りのｋｙビューのデータを収集するためのシーケンスＣ１〜Ｃｎが繰り返し実行される（図１３参照）。
【００４７】
図１３は期間ＰｍにおいてシーケンスＣ１〜Ｃｎを実行するときの説明図である。
図１３では、期間Ｐｍで得られる複数のＤＣ信号Ａを区別するために、符号Ａには、添え字「ｍ１」、「ｍ２」、・・・「ｍｎ」を付してある。同様に、イメージング信号Ｂを区別するために、符号Ｂにも、添え字「ｍ１」、「ｍ２」、・・・「ｍｎ」を付してある。
【００４８】
期間Ｐｍでは、先ず、シーケンスＣ１が実行される。シーケンスＣ１を実行することにより、ＤＣ信号Ａｍ１とイメージング信号Ｂｍ１とが収集される。イメージング信号Ｂｍ１は、スライスＬ１のｋｙ＝−３２のラインのデータを表している。シーケンスＣ１を実行した後、シーケンスＣ２〜Ｃｎが順に実行される。したがって、期間Ｐｍの間に、スライスＬ１〜Ｌｎのｋｙ＝−３２のデータを収集することができる。
【００４９】
また、シーケンスＣ１〜Ｃｎを実行することにより、イメージング信号Ｂの他に、ＤＣ信号Ａが収集される。第１の形態では、ＤＣ信号Ａを用いて、被検体の呼吸信号を生成する。以下、第１の形態において呼吸信号を生成する方法について説明する。尚、第１の形態の呼吸信号の生成方法の説明にあたっては、第１の形態の呼吸信号の生成方法の効果を明確にするために、先ず、第１の形態とは別のやり方で呼吸信号を生成する方法の一例について説明し、その後に、第１の形態の呼吸信号の生成方法について説明する。
【００５０】
図１４〜図１９は、第１の形態とは別のやり方で呼吸信号を生成する方法の一例の説明図である。
先ず、図１４に示すように、期間Ｐ１において、シーケンスＣ１が実行される。シーケンスＣ１を実行することにより、スライスＬ１から、ＤＣ信号Ａ１１とイメージング信号Ｂ１１とが収集される。
【００５１】
コイル４はチャネルＣＨ１〜ＣＨ８を有しているので、ＤＣ信号Ａ１１は、チャネルＣＨ１〜ＣＨ８の各々で受信される。図１４の下側には、チャネルＣＨ１〜ＣＨ８がＤＣ信号Ａ１１を受信した場合に、チャネルＣＨ１〜ＣＨ８の各々から出力される信号を、符号「Ａ１１，１」〜「Ａ１１，８」で示してある。
【００５２】
シーケンスＣ１を実行した後、シーケンスＣ２が実行される。図１５にシーケンスＣ２が実行されたときの様子を示す。シーケンスＣ２を実行することにより、スライスＬ２から、ＤＣ信号Ａ１２とイメージング信号Ｂ１２とが収集される。
【００５３】
コイル４はチャネルＣＨ１〜ＣＨ８を有しているので、ＤＣ信号Ａ１２は、ＤＣ信号Ａ１１と同様に、チャネルＣＨ１〜ＣＨ８の各々で受信される。図１５の下側には、チャネルＣＨ１〜ＣＨ８がＤＣ信号Ａ１２を受信した場合に、チャネルＣＨ１〜ＣＨ８の各々から出力される信号を、符号「Ａ１２，１」〜「Ａ１２，８」で示してある。
【００５４】
以下同様に、スライスＬ３〜Ｌｎの各々からＤＣ信号およびイメージング信号を収集するためのシーケンスが実行される。そして、期間Ｐ１の最後に、スライスＬｎのデータを収集するためのシーケンスＣｎが実行される。図１６にシーケンスＣｎが実行されたときの様子を示す。シーケンスＣｎを実行することにより、スライスＬｎから、ＤＣ信号Ａ１ｎとイメージング信号Ｂ１ｎとが収集される。
【００５５】
コイル４はチャネルＣＨ１〜ＣＨ８を有しているので、ＤＣ信号Ａ１ｎは、ＤＣ信号Ａ１１と同様に、チャネルＣＨ１〜ＣＨ８の各々で受信される。図１６の下側には、チャネルＣＨ１〜ＣＨ８がＤＣ信号Ａ１ｎを受信した場合に、チャネルＣＨ１〜ＣＨ８の各々から出力される信号を、符号「Ａ１ｎ，１」〜「Ａ１ｎ，８」で示してある。
【００５６】
このようにして、シーケンスを実行するたびに、各チャネルからＤＣ信号が出力される。
【００５７】
次に、期間Ｐ１においてチャネルＣＨ１〜ＣＨ８から出力された信号を合成する（図１７参照）。
【００５８】
図１７は、期間Ｐ１においてチャネルＣＨ１〜ＣＨ８から出力された信号を合成するときの様子を示す図である。
図１７では、期間Ｐ１においてチャネルＣＨ１〜ＣＨ８から出力された信号を加算することにより、チャネルＣＨ１〜ＣＨ８の信号を合成する例が示されている。チャネルＣＨ１〜ＣＨ８の全信号を加算することにより、合成信号Ａ１が得られる。
【００５９】
合成信号Ａ１を取得した後、合成信号Ａ１の積分値を算出する。図１８に、算出された合成信号Ａ１の積分値を符号「Ｓ１」で示してある。積分値Ｓ１が、期間Ｐ１における被検体の呼吸信号の信号値として使用される。
期間Ｐ１においてシーケンスを実行した後、期間Ｐ２に移行する。
【００６０】
図１９は、期間Ｐ２における呼吸信号の信号値を算出するときの説明図である。
期間Ｐ２でも、期間１と同様にシーケンスが実行され、チャネルの信号が合成される。そして、合成信号Ａ２の積分値Ｓ２を求める。積分値Ｓ２が、期間Ｐ２における被検体の呼吸信号の信号値として使用される。
【００６１】
以下同様に、各期間においてシーケンスＣ１〜Ｃｎを実行し、合成信号の積分値を算出する。したがって、各期間における呼吸信号の信号値を求めることができる（図２０参照）。
【００６２】
図２０に、各期間における呼吸信号の信号値を概略的に示す図である。
図２０には、図１４〜図１９に示す方法で求められた呼吸信号Ｑ１と、理想の呼吸信号Ｑ２が示されている。
【００６３】
被検体の呼吸状態（呼気、吸気など）を認識するためには、理想の呼吸信号Ｑ２に示すように、被検体の呼吸運動に応じて呼吸信号が時間とともにできるだけ大きく変化する必要がある。しかし、図１４〜図１９に示す方法で呼吸信号を生成した場合、呼吸信号の振幅が小さくなるので、好適な呼吸信号を得ることは難しいという問題がある。
【００６４】
そこで、本願発明者は、呼吸信号の振幅が小さくなる理由を明らかにするため、図９に示すシーケンスを用いて実際に被検体をスキャンし、全チャネルの合成信号から求めた呼吸信号と、１チャネルの受信信号から求めた呼吸信号との違いについて検討した。以下に、検討結果について説明する。
【００６５】
図２１は呼吸信号を示す図である。
図２１（ａ）は、全チャネルの合成信号から求めた呼吸信号Ｖ０を示す図である。図２１（ａ）を参照すると、呼吸信号Ｖ０の振幅はあまり大きくならないことがわかる。
【００６６】
図２１（ｂ１）〜（ｂ８）は１チャネルのみの受信信号から求めた呼吸信号を示す図である。以下、各図について説明する。
【００６７】
図２１（ｂ１）は、チャネルＣＨ１の受信信号のみから求めた呼吸信号Ｖ１を示す図である。チャネルＣＨ１の呼吸信号Ｖ１（周期Ｔ）は、肝臓の動きを反映して大きく変化していることがわかる。
【００６８】
図２１（ｂ２）は、チャネルＣＨ２の受信信号のみから求めた呼吸信号Ｖ２を示す図である。チャネルＣＨ２の呼吸信号Ｖ２も、チャネルＣＨ１の呼吸信号Ｖ１と同様に、肝臓の動きを反映して大きく変化している。
【００６９】
図２１（ｂ３）は、チャネルＣＨ３の受信信号のみから求めた呼吸信号Ｖ３を示す図である。チャネルＣＨ３の呼吸信号Ｖ３は、チャネルＣＨ１の呼吸信号Ｖ１と同様に肝臓の動きを反映して大きく変化している。しかし、チャネルＣＨ３の呼吸信号Ｖ３は、チャネルＣＨ１の呼吸信号Ｖ１に対して、波形がΔＴだけ時間方向にずれている。
【００７０】
図２１（ｂ４）は、チャネルＣＨ４の受信信号のみから求めた呼吸信号Ｖ４を示す図である。チャネルＣＨ４の呼吸信号Ｖ４は、チャネルＣＨ１の呼吸信号Ｖ１と同様に肝臓の動きを反映して大きく変化している。しかし、チャネルＣＨ４の呼吸信号Ｖ４は、チャネルＣＨ１の呼吸信号Ｖ１に対して、波形がΔＴだけ時間方向にずれている。
【００７１】
図２１（ｂ５）は、チャネルＣＨ５の受信信号のみから求めた呼吸信号Ｖ５を示す図である。チャネルＣＨ５の呼吸信号Ｖ５は、チャネルＣＨ１の呼吸信号Ｖ１と同様に、肝臓の動きを反映して大きく変化している。チャネルＣＨ５の呼吸信号Ｖ５は、チャネルＣＨ１の呼吸信号Ｖ１に対して、波形の時間方向のずれはほとんど見られない。
【００７２】
図２１（ｂ６）は、チャネルＣＨ６の受信信号のみから求めた呼吸信号Ｖ６を示す図である。チャネルＣＨ６の呼吸信号Ｖ６は、チャネルＣＨ１の呼吸信号Ｖ１と同様に、肝臓の動きを反映して大きく変化している。チャネルＣＨ６の呼吸信号Ｖ６は、チャネルＣＨ１の呼吸信号Ｖ１に対して、波形の時間方向のずれはほとんど見られない。
【００７３】
図２１（ｂ７）は、チャネルＣＨ７の受信信号のみから求めた呼吸信号Ｖ７を示す図である。チャネルＣＨ７の呼吸信号Ｖ７の振幅はあまり変化しておらず、肝臓の動きが十分に反映されていないことがわかる。
【００７４】
図２１（ｂ８）は、チャネルＣＨ８の受信信号のみから求めた呼吸信号Ｖ８を示す図である。チャネルＣＨ８の呼吸信号Ｖ８の振幅はあまり変化しておらず、肝臓の動きが十分に反映されていないことがわかる。
【００７５】
したがって、チャネルＣＨ１の呼吸信号Ｖ１に対して、波形がΔＴだけ時間方向にずれた呼吸信号が含まれていることがわかる。例えば、チャネルＣＨ３の呼吸信号Ｖ３は、チャネルＣＨ１の呼吸信号Ｖ１に対して、波形がΔＴだけ時間方向にずれている。以下に、呼吸信号の波形が時間方向にずれる理由について考察する。
【００７６】
図２２は、チャネルＣＨ１およびＣＨ３と肝臓との位置関係を概略的に示す図である。図２２では、被検体が息を吐いたときの肝臓を実線で示しており、被検体が息を吸ったときの肝臓の位置を破線で示してある。
【００７７】
被検体が息を吐いた場合、肝臓の端部Ｅ１はｚ方向に動くので、肝臓はチャネルＣＨ１に近づく。したがって、チャネルＣＨ１の受信信号の信号値は、肝臓の影響を受けて増加する。一方、チャネルＣＨ３から見ると、肝臓は離れていくので、チャネルＣＨ３の受信信号の信号値は減少する。
【００７８】
これに対し、被検体は息を吸った場合、肝臓の端部Ｅ１は−ｚ方向に動くので、肝臓はチャネルＣＨ１から離れる。したがって、チャネルＣＨ１の受信信号の信号値は減少する。一方、チャネルＣＨ３から見ると、肝臓は近づいてくるので、チャネルＣＨ３の受信信号の信号値は増加する。したがって、チャネルＣＨ１の受信信号の増減と、チャネルＣＨ３の受信信号の増減は逆になる。
【００７９】
このように受信信号の増減が逆になるので、チャネルＣＨ３の受信信号から求めた呼吸信号Ｖ３は、チャネルＣＨ１の受信信号から求めた呼吸信号Ｖ１に対して、波形がΔＴだけ時間方向にずれると考えられる。このため、呼吸信号Ｖ１とＶ３とを加算すると、信号が互いに打ち消し合う。
【００８０】
また、図２１（ｂ１）〜（ｂ８）を参照すると、チャネルＣＨ７およびＣＨ８の呼吸信号Ｖ７およびＶ８は振幅があまり変化しないことがわかる。この理由としては、チャネルＣＨ７およびＣＨ８が他のチャネルよりも肝臓から離れているので、肝臓の動きによる信号値の変化があまり大きくないことが考えられる。
【００８１】
したがって、チャネルＣＨ１〜ＣＨ８の中には、互いの信号を打ち消し合うチャネルや、肝臓の動きをあまり反映しないチャネルが含まれているので、全チャネルの受信信号を合成した場合、呼吸信号の振幅があまり大きくならないと考えられる。
【００８２】
尚、図２１（ｂ１）〜（ｂ８）を参照すると、チャネルＣＨ１〜ＣＨ８の中には、呼吸信号の波形の時間方向のずれがほとんど見られないチャネルが含まれていることがわかる。具体的には、チャネルＣＨ１、ＣＨ２、ＣＨ５、およびＣＨ６の呼吸信号Ｖ１、Ｖ２、Ｖ５、およびＶ６は、時間方向のずれがほとんど見られない。これらのチャネルＣＨ１、ＣＨ２、ＣＨ５、およびＣＨ６は、肝臓の端部Ｅ１の近くに配置されており、肝臓の動きに応じた信号値の増減が同じタイミングで行われるので、呼吸信号の波形の時間方向のずれがほとんど見られないと考えられる。したがって、チャネルＣＨ１、ＣＨ２、ＣＨ５、およびＣＨ６の受信信号のみを合成すれば、被検体の呼吸によって大きく変化する呼吸信号を得ることができると考えられる。そこで、第１の形態では、チャネルＣＨ１〜ＣＨ８のうち、肝臓の端部Ｅ１の近くに配置されたチャネルＣＨ１、ＣＨ２、ＣＨ５、およびＣＨ６の受信信号のみを用いて、呼吸信号を生成する。以下に、第１の形態における呼吸信号の生成方法について説明する。
【００８３】
第１の形態では、メモリ９（図１参照）に、コイルのチャネルの情報を含むデータベースが記憶されている。図２３に、データベースに登録されているデータを概略的に示す。
【００８４】
データベースには、コイルを表す項目ａと、コイルのチャネルを表す項目ｂと、チャネルが肝臓の肺側の端部Ｅ１の近くに配置されるか否かを表す項目ｃが登録されている。項目ｃの記号「○」は、チャネルが肝臓の端部Ｅ１の近くに配置されることを示している。ここでは、チャネルＣＨ１、ＣＨ２、ＣＨ５、およびＣＨ６が、肝臓の端部Ｅ１の近くに配置されるチャネルとして登録されている。
【００８５】
第１の形態では、図２３のデータベースに基づいて呼吸信号を生成する。以下に、データベースを用いて呼吸信号を生成する手順について、図２４および図２５を参照しながら説明する。
【００８６】
先ず、図２４に示すように、期間Ｐ１において、シーケンスＣ１が実行される。シーケンスＣ１を実行することにより、スライスＬ１から、ＤＣ信号Ａ１１とイメージング信号Ｂ１１とが収集される。
【００８７】
コイル４はチャネルＣＨ１〜ＣＨ８を有しているので、ＤＣ信号Ａ１１は、チャネルＣＨ１〜ＣＨ８の各々で受信される。チャネルＣＨ１〜ＣＨ８は、ＤＣ信号Ａ１１を受信することにより、それぞれ信号Ａ１１，１〜Ａ１１，８を出力する。
【００８８】
シーケンスＣ１を実行した後、シーケンスＣ２が実行される。シーケンスＣ２を実行することにより、スライスＬ２から、ＤＣ信号Ａ１２とイメージング信号Ｂ１２とが収集される。
【００８９】
ＤＣ信号Ａ１２は、ＤＣ信号Ａ１１と同様に、チャネルＣＨ１〜ＣＨ８の各々で受信される。チャネルＣＨ１〜ＣＨ８は、ＤＣ信号Ａ１２を受信することにより、それぞれ信号Ａ１２，１〜Ａ１２，８を出力する。
【００９０】
以下同様に、スライスＬ３〜Ｌｎの各々からＤＣ信号およびイメージング信号を収集するためのシーケンスが実行される。そして、期間Ｐ１の最後に、スライスＬｎのデータを収集するためのシーケンスＣｎが実行される。シーケンスＣｎを実行することにより、スライスＬｎから、ＤＣ信号Ａ１ｎとイメージング信号Ｂ１ｎとが収集される。
【００９１】
ＤＣ信号Ａ１ｎは、チャネルＣＨ１〜ＣＨ８の各々で受信される。チャネルＣＨ１〜ＣＨ８は、ＤＣ信号Ａ１ｎを受信することにより、それぞれ信号Ａ１ｎ，１〜Ａ１ｎ，８を出力する。
【００９２】
期間Ｐ１においてシーケンスＣ１〜Ｃｎを実行した後、以下のようにして呼吸信号を生成する。
【００９３】
先ず、チャネル選択手段８２（図５参照）が、データベース（図２３参照）を参照する。そして、チャネル選択手段８２は、データベースの項目ｃの情報に基づいて、肝臓の端部Ｅ１の近くに配置されるチャネルとして登録されているチャネルＣＨ１、ＣＨ２、ＣＨ５、およびＣＨ６を選択する。
【００９４】
次に、呼吸信号生成手段８３（図５参照）は、チャネルＣＨ１〜ＣＨ８のうち選択されていないチャネルＣＨ３、ＣＨ４、ＣＨ７、およびＣＨ８の出力信号は破棄し、選択されたチャネルＣＨ１、ＣＨ２、ＣＨ５、およびＣＨ６の出力信号のみを合成（加算）する。これにより、合成信号Ａ１が得られる。
【００９５】
合成信号Ａ１を取得した後、呼吸信号生成手段８３は、合成信号Ａ１の積分値Ｓ１を算出する。積分値Ｓ１が、期間Ｐ１における被検体の呼吸信号の信号値として使用される。
期間Ｐ１においてシーケンスを実行した後、期間Ｐ２に移行する。
【００９６】
図２５は、期間Ｐ２における呼吸信号を算出するときの説明図である。
期間Ｐ２でも、期間１と同様にシーケンスＣ１〜Ｃｎが実行される。呼吸信号生成手段８３は、チャネルＣＨ３、ＣＨ４、ＣＨ７、およびＣＨ８の出力信号は破棄し、選択されたチャネルＣＨ１、ＣＨ２、ＣＨ５、およびＣＨ６の出力信号のみを合成（加算）することにより、合成信号Ａ２を生成する。そして、呼吸信号生成手段８３は、合成信号Ａ２の積分値Ｓ２を求める。積分値Ｓ２が、期間Ｐ２における被検体の呼吸信号の信号値として使用される。
【００９７】
以下同様に、各期間においてシーケンスＣ１〜Ｃｎが実行される。呼吸信号生成手段８３は、チャネルＣＨ３、ＣＨ４、ＣＨ７、およびＣＨ８の出力信号を破棄し、選択されたチャネルＣＨ１、ＣＨ２、ＣＨ５、およびＣＨ６の出力信号のみを合成（加算）する。そして、合成信号の積分値を算出する。したがって、各期間における呼吸信号を求めることができる（図２６参照）。
【００９８】
図２６に、第１の形態の方法で得られた呼吸信号を概略的に示す図である。
第１の形態では、肝臓の端部Ｅ１の近くに位置するチャネルＣＨ１、ＣＨ２、ＣＨ５、およびＣＨ６の出力信号のみを合成（加算）している。チャネルＣＨ１、ＣＨ２、ＣＨ５、およびＣＨ６の出力信号は同じタイミングで増減するので、これらのチャネルの出力信号のみを合成することにより、被検体の呼吸に応じて大きく変化する呼吸信号Ｖｓｙｎを取得することができる。
【００９９】
尚、肝臓は呼吸により動くので、期間Ｐ１〜Ｐｍに収集されたイメージング信号のみを用いて画像を再構成すると、画像に体動アーチファクトが現れる。そこで、第１の形態では、体動アーチファクトを軽減するため、呼吸信号Ｖｓｙｎに基づいて、イメージング信号を画像再構成に使用する信号として受け入れるか、それとも、イメージング信号の受入れを拒否するかを判断している。以下に、その判断方法について説明する。
【０１００】
図２７はイメージング信号の受入れ、拒否を判断する方法の説明図である。
判断手段８４（図５参照）は、先ず、被検体の息の吐き終わりの位置に相当する信号値ｘ０を求める。息の吐き終わりの信号値ｘ０は、例えば、呼吸信号のピーク値を参考にして求めることができる。次に、呼吸信号の最大値と最小値との差ΔＤを求める。そして、息の吐き終わりの信号値ｘ０を中心として、差ΔＤのｘ％（例えば、ｘ＝２０）の範囲ＡＷを設定する。このようにして設定された範囲ＡＷを、イメージング信号Ｂを受け入れる許容範囲ＡＷと定める。そして、判断手段８４は、呼吸信号が許容範囲ＡＷに含まれている場合、イメージング信号を画像再構成に使用する信号として受け入れると判断する。一方、判断手段８４は、呼吸信号が許容範囲ＡＷに含まれていない場合、イメージング信号を画像再構成に使用する信号として受け入れることを拒否すると判断する。図２７を見ると、期間Ｐ１の信号値（積分値）Ｓ１は許容範囲ＡＷに含まれていないので、期間Ｐ１に収集されたイメージング信号Ｂ１１〜Ｂ１ｎ（図２４参照）は拒否される。しかし、期間Ｐ２の信号値（積分値）Ｓ２は許容範囲ＡＷに含まれているので、期間Ｐ２に収集されたイメージング信号Ｂ２１〜Ｂ２ｎ（図２５参照）は受け入れると判断される。以下同様に、各期間の呼吸信号が許容範囲ＡＷに含まれているか否に応じて、イメージング信号を受け入れるか拒否するかを判断する。
【０１０１】
そして、期間Ｐ１〜Ｐｍに収集されたイメージング信号のうち、画像再構成用に使用する信号として受け入れることが拒否されたイメージング信号は、期間Ｐｍの後で再収集される。例えば、期間Ｐ１に収集されたイメージング信号Ｂ１１〜Ｂ１ｎ（図２４参照）は、画像再構成用に使用する信号として受け入れることが拒否されているので、イメージング信号Ｂ１１〜Ｂ１ｎは再収集される（図２８参照）。
【０１０２】
図２８は、イメージング信号Ｂ１１〜Ｂ１ｎを再収集するときの説明図である。
期間Ｐｍ＋１では、イメージング信号Ｂ１１〜Ｂ１ｎを収集するためのシーケンスＣ１〜Ｃｎが実行される。シーケンスＣ１〜Ｃｎを実行することにより、ＤＣ信号Ａ１１〜Ａ１ｎと、イメージング信号Ｂ１１〜Ｂ１ｎとが再収集される。
【０１０３】
ＤＣ信号Ａ１１〜Ａ１ｎおよびイメージング信号Ｂ１１〜Ｂ１ｎは、チャネルＣＨ１〜ＣＨ８の各々で受信される。尚、図２８では、説明の便宜上、ＤＣ信号Ａ１１〜Ａ１ｎがチャネルＣＨ１〜ＣＨ８の各々で受信される様子のみが示されている。チャネルＣＨ１〜ＣＨ４は、それぞれ信号Ａ１１，１〜Ａ１１，８を出力する。
【０１０４】
呼吸信号生成手段８３は、チャネルＣＨ１、ＣＨ２、ＣＨ５、およびＣＨ６の出力信号の合成信号を生成し、合成信号Ａｍ＋１の積分値Ｓｍ＋１を算出する。これにより、期間Ｐｍ＋１における呼吸信号Ｓｍ＋１を得ることができる。
【０１０５】
次に、判断手段８４は、呼吸信号Ｓｍ＋１が許容範囲ＡＷに含まれているか否かを判断する。図２８では、呼吸信号Ｓｍ＋１は許容範囲ＡＷに含まれていないので、期間Ｐｍ＋１で収集されたイメージング信号Ｂ１１〜Ｂ１ｎは画像再構成用のデータとして受け入れることができない。したがって、イメージング信号Ｂ１１〜Ｂ１ｎは拒否される。この場合、引き続いて、次の期間Ｐｍ＋２においても、イメージング信号Ｂ１１〜Ｂ１ｎを再収集するためのシーケンスＣ１〜Ｃｎが実行される（図２９参照）。
【０１０６】
図２９は、期間Ｐｍ＋２においてシーケンスＣ１〜Ｃｎを実行するときの説明図である。
期間Ｐｍ＋２でも、期間Ｐｍ＋１と同様に、イメージング信号Ｂ１１〜Ｂ１ｎを再収集するためのシーケンスＣ１〜Ｃｎが実行される。シーケンスＣ１〜Ｃｎを実行することにより、ＤＣ信号Ａ１１〜Ａ１ｎと、イメージング信号Ｂ１１〜Ｂ１ｎとが再収集される。
【０１０７】
ＤＣ信号Ａ１１〜Ａ１ｎおよびイメージング信号Ｂ１１〜Ｂ１ｎは、チャネルＣＨ１〜ＣＨ８の各々で受信される。尚、図２９では、説明の便宜上、ＤＣ信号Ａ１１〜Ａ１ｎがチャネルＣＨ１〜ＣＨ８の各々で受信される様子のみが示されている。チャネルＣＨ１〜ＣＨ４は、それぞれ信号Ａ１１，１〜Ａ１１，８を出力する。
【０１０８】
呼吸信号生成手段８３は、チャネルＣＨ１、ＣＨ２、ＣＨ５、およびＣＨ６の出力信号の合成信号を生成し、合成信号Ａｍ＋２の積分値Ｓｍ＋２を算出する。これにより、期間Ｐｍ＋２における呼吸信号Ｓｍ＋２を得ることができる。
【０１０９】
次に、判断手段８４は、呼吸信号Ｓｍ＋２が許容範囲ＡＷに含まれているか否かを判断する。図２９では、呼吸信号Ｓｍ＋２は許容範囲ＡＷに含まれているので、期間Ｐｍ＋２で収集されたイメージング信号Ｂ１１〜Ｂ１ｎは画像再構成用のデータとして受け入れると判断される。
【０１１０】
以下同様に、他の拒否されたイメージング信号を再収集する場合も、呼吸信号が許容範囲ＡＷに含まれるまでシーケンスが繰り返し実行される。したがって、呼吸信号が許容範囲ＡＷに含まれているときに収集されたｋｙ＝−３２〜３２のイメージング信号を、画像再構成用のデータとして得ることができる。
このようにして、拒否されたイメージング信号を再収集した後、画像再構成が行われる。
【０１１１】
第１の形態では、肝臓の端部Ｅ１の近くに配置されるチャネルが受信したＤＣ信号を合成しているので、被検体の呼吸に応じて大きく変化する呼吸信号Ｖｓｙｎを取得することができる。したがって、被検体が息を吐き切るときの呼吸信号の大よその範囲ＡＷを特定することができる。また、第１の形態では、呼吸信号が範囲ＡＷに含まれていない場合、呼吸信号が範囲ＡＷに含まれるまでイメージング信号を再収集するので、体動アーチファクトが低減された画像を得ることができる。
【０１１２】
尚、第１の形態では、肝臓の端部Ｅ１の近くに配置されるチャネルとして、４つのチャネルＣＨ１、ＣＨ２、ＣＨ５、およびＣＨ６が登録されている。しかし、４つのチャネルＣＨ１、ＣＨ２、ＣＨ５、およびＣＨ６の全てを登録せずに、４つのチャネルＣＨ１、ＣＨ２、ＣＨ５、およびＣＨ６のうちの１チャネル、２チャネル、又は３チャネルのみを登録してもよい。図２１を参照しながら説明したように、チャネルＣＨ１、ＣＨ２、ＣＨ５、およびＣＨ６のどのチャネルでも、肝臓の動きを十分に反映した呼吸信号が得られる。したがって、４つのチャネルＣＨ１、ＣＨ２、ＣＨ５、およびＣＨ６のうちの少なくとも一つ以上のチャネルを登録しておけば、肝臓の動きを十分に反映した呼吸信号を得ることができる。
【０１１３】
また、肝臓の端部Ｅ１に位置するチャネルＣＨ１、ＣＨ２、ＣＨ５、およびＣＨ６の代わりに、例えば、肝臓の端部Ｅ２（図３参照）の近くに位置するチャネルＣＨ３を登録しておいてもよい。図２１を参照しながら説明したように、チャネルＣＨ３から得られた呼吸信号は、チャネルＣＨ１から得られた呼吸信号に対して、波形がΔＴだけ時間方向にずれているが、肝臓の動きは十分に反映している。したがって、チャネルＣＨ１、ＣＨ２、ＣＨ５、およびＣＨ６の代わりに、チャネルＣＨ３を登録しても、肝臓の動きを十分に反映した呼吸信号を得ることができる。
【０１１４】
第１の形態では、オペレータが操作部１０から入力した情報に基づいて、スライス設定手段８１がスライスを設定している。しかし、画像Ｄに基づいて、スライス設定手段８１が自動でスライスを設定してもよい。
【０１１５】
（２）第２の形態
第１の形態では、肝臓の端部Ｅ１の近くに配置されるチャネルＣＨ１、ＣＨ２、ＣＨ５、およびＣＨ６をデータベースに登録しておき、データベースの情報を参照することにより、チャネルＣＨ１〜ＣＨ８の中から、チャネルＣＨ１、ＣＨ２、ＣＨ５、およびＣＨ６を選択している。第２の形態では、データベースにチャネルを登録せずに、チャネルＣＨ１〜ＣＨ８の中から、肝臓の端部Ｅ１の近くに配置されるチャネルＣＨ１、ＣＨ２、ＣＨ５、およびＣＨ６を選択する例について説明する。尚、ＭＲ装置のハードウエア構成は、第１の形態と同じである。
【０１１６】
図３０は、第２の形態においてプロセッサが実行する処理の説明図である。
プロセッサ８は、メモリ９に記憶されているプログラムを読み出すことにより、スライス設定手段８１〜判断手段８４などを構成する。
【０１１７】
スライス設定手段８１は、操作部１０から入力された情報に基づいて、スライスを設定する。
プロファイル作成手段８１１は、後述するプレスキャンＰＳ（図３２参照）により収集されたＭＲ信号に基づいて、撮影部位のｚ方向における各位置と信号値との関係を表すプロファイルを作成する。
チャネル選択手段８２は、プロファイル作成手段８１１により作成されたプロファイルに基づいて、コイル４が有するチャネルＣＨ１〜ＣＨ８の中から、肝臓の端部Ｅ１（図３参照）の近くに配置されるチャネルを選択する。
呼吸信号生成手段８３は、チャネル選択手段８２により選択されたチャネルの出力信号に基づいて、呼吸信号を生成する。
判断手段８４は、イメージング信号を画像再構成の信号として受け入れるか否かを判断する。
【０１１８】
プロセッサ８は、スライス設定手段８１〜判断手段８４を構成する一例であり、所定のプログラムを実行することにより、これらの手段として機能する。
【０１１９】
図３１は、第２の形態で実行されるスキャンの説明図である。
第２の形態では、ローカライザスキャンＬＳ、プレスキャンＰＳ、および本スキャンＭＳが実行される。第２の形態は、第１の形態と比較すると、ローカライザスキャンＬＳおよび本スキャンＭＳが実行される点は同じであるが、ローカライザスキャンＬＳと本スキャンＭＳとの間にプレスキャンＰＳが実行される点が異なっている。
【０１２０】
図３２はプレスキャンＰＳの説明図である。
図３２には、プレスキャンＰＳで実行されるシーケンスＨが示されている。シーケンスＨは、Ｇｙ方向に位相エンコード勾配パルスが印加されていない点を除いて、図９に示すパルスシーケンスと同じである。
【０１２１】
プレスキャンＰＳは、チャネルＣＨ１〜ＣＨ８の中から、肝臓の端部Ｅ１の近くに配置されるチャネルＣＨ１、ＣＨ２、ＣＨ５、およびＣＨ６を選択するために実行されるスキャンである。プレスキャンＰＳについては後で詳しく説明する。
【０１２２】
以下、第２の形態において、ローカライザスキャンＬＳ、プレスキャンＰＳ、および本スキャンＭＳを実行するときのＭＲ装置の動作フローについて説明する。
【０１２３】
図３３は、第２の形態におけるＭＲ装置の動作フローを示す図である。
ステップＳＴ１およびＳＴ２は第１の形態と同じであるので詳細な説明は省略する。ステップＳＴ２においてスライスＬ１〜Ｌｎ（図８参照）を設定した後、ステップＳＴ２１に進む。
【０１２４】
ステップＳＴ２１では、プレスキャンＰＳが実行される。プレスキャンＰＳは、チャネルＣＨ１〜ＣＨ８の中から、肝臓の端部Ｅ１の近くに配置されるチャネルＣＨ１、ＣＨ２、ＣＨ５、およびＣＨ６を選択するために実行されるスキャンである。以下に、プレスキャンＰＳについて説明する（図３４参照）。
【０１２５】
図３４はプレスキャンＰＳの説明図である。
プレスキャンＰＳでは、スライスＬ１〜Ｌｎのうちのいずれか一枚のスライスのみが励起され、励起された一枚のスライスからＤＣ信号Ａ０およびイメージング信号Ｂ０を収集する。第２の形態では、スライスＬ１〜Ｌｎのうちの中央のスライスＬｃを励起するとする。したがって、スライスＬｃからＤＣ信号Ａ０とイメージング信号Ｂ０とが収集される。
【０１２６】
シーケンスＨを実行することにより、スライスＬｃから、ＤＣ信号Ａ０およびイメージング信号Ｂ０が収集される。ＤＣ信号Ａ０およびイメージング信号Ｂ０は、チャネルＣＨ１〜ＣＨ８の各々で受信される。図３４では、説明の便宜上、ＤＣ信号Ａ０がチャネルＣＨ１〜ＣＨ８の各々で受信される様子のみが示されている。尚、ＤＣ信号Ａ０およびイメージング信号Ｂ０のうち、チャネルの選択に使用される信号はイメージング信号Ｂ０であり、ＤＣ信号Ａ０はチャネルの選択には使用されない。
【０１２７】
チャネルＣＨ１〜ＣＨ８がイメージング信号Ｂ０を受信することにより、チャネルＣＨ１〜ＣＨ８は、それぞれ信号Ｂ０１〜Ｂ０８を出力する。
プリスキャンＰＳを実行した後、ステップＳＴ２２に進む。
【０１２８】
ステップＳＴ２２では、プロファイル作成手段８１１（図３０参照）が、チャネルＣＨ１〜ＣＨ８の出力信号Ｂ０１〜Ｂ０８の各々をｚ方向にフーリエ変換（ＦＴ：Fourier Transformation）する。これにより、図３５に示すように、チャネルごとに、ｚ方向の各位置と信号値との関係を表すプロファイル（Ｆ１〜Ｆ８）を作成することができる。図３６には、プロファイルＦ１〜Ｆ８のｚ方向の範囲が概略的に示されている。図３６の左側には、プロファイルＦ１〜Ｆ４のｚ方向の範囲が示されており、図３６の右側には、プロファイルＦ５〜Ｆ８のｚ方向の範囲が示されている。
【０１２９】
プロファイルＦ１〜Ｆ８のｚ方向の範囲は、符号「ｚａ」および「ｚｂ」で示してある。ｚａは肝臓の端部Ｅ２に近い位置であり、ｚｂは肺を横切る位置である。
プロファイルＦ１〜Ｆ８を作成した後、ステップＳＴ２３に進む。
【０１３０】
ステップＳＴ２３では、チャネル選択手段８２（図３０参照）が、プロファイルＦ１〜Ｆ８の各々の特性を表す特性値を求め、特性値に基づいて、チャネルＣＨ１〜ＣＨ８の中から、肝臓の端部Ｅ１の近くに配置されるチャネルを選択する。以下では、先ず、プロファイルＣＨ１〜ＣＨ８の各々の特性値を求める方法について説明し、次に、特性値に基づいてチャネルを選択する方法について説明する。
【０１３１】
図３７〜図３９は、プロファイルＣＨ１〜ＣＨ８の各々の特性値を求める方法の説明図である。
チャネル選択手段８２は、先ず、プロファイルＦ１〜Ｆ８の各々のｚ方向の範囲ｚａ〜ｚｂを２分する中心位置ｚｃを規定する。図３７に、中心位置ｚｃを示す。中心位置ｚｃを規定した後、チャネル選択手段８２は、各プロファイルに対して、区間ｚａ〜ｚｃにおける積分値Ｓａと、区間ｚｃ〜ｚｂにおける積分値Ｓｂとを算出する。図３８に、プロファイルごとに算出された積分値ＳａおよびＳｂを示す。
【０１３２】
積分値ＳａおよびＳｂを算出した後、チャネル選択手段８２は、プロファイルごとに、積分値ＳｂとＳａの比を算出する。図３９に、プロファイルごとに算出した積分値の比を示す。図３９では、プロファイルＦ１〜Ｆ８の比は、符号「Ｊ１」〜「Ｊ８」で示されている。第２の形態では、積分値の比が、プロファイルの特性値として求められる。
【０１３３】
比Ｊ１〜Ｊ８を比較すると、比Ｊ１〜Ｊ８は、チャネルの配置位置に応じて、大きい値を持つ比と、小さい値を持つ比に分けることができる。以下に、この理由について説明する。
【０１３４】
先ず、比Ｊ１〜Ｊ８のうちの４つの比Ｊ１〜Ｊ４（図３９の左側参照）について考える。
【０１３５】
チャネルＣＨ１およびＣＨ２は、中心位置ｚｃに対してｚ方向に配置されているが、チャネルＣＨ３およびＣＨ４は、中心位置ｚｃに対して−ｚ方向に配置されている。したがって、範囲ｚｃ〜ｚｂでは、チャネルＣＨ１およびＣＨ２は、チャネルＣＨ３およびＣＨ４よりも高い感度を有する。このため、チャネルＣＨ１およびＣＨ２のプロファイルＦ１およびＦ２の積分値Ｓｂは、チャネルＣＨ３およびＣＨ４のプロファイルＦ３およびＦ４の積分値Ｓｂよりも大きい値となる。一方、範囲ｚａ〜ｚｃでは、チャネルＣＨ１およびＣＨ２は、チャネルＣＨ３およびＣＨ４よりも低い感度を有する。このため、チャネルＣＨ１およびＣＨ２のプロファイルＦ１およびＦ２の積分値Ｓａは、チャネルＣＨ３およびＣＨ４のプロファイルＦ３およびＦ４の積分値Ｓａよりも小さい値となる。
【０１３６】
したがって、チャネルＣＨ１およびＣＨ２の比Ｊ１およびＪ２は、チャネルＣＨ３およびＣＨ４の比Ｊよりも大きくなることがわかる。
【０１３７】
上記の説明では、チャネルＣＨ１〜ＣＨ４の比Ｊ１〜Ｊ４について説明したが、チャネルＣＨ５〜ＣＨ８の比Ｊ５〜Ｊ８も同様に説明することができる。チャネルＣＨ５およびＣＨ６の比Ｊ５およびＪ６は、チャネルＣＨ７およびＣＨ８の比Ｊ７およびＪ８よりも大きくなる。
【０１３８】
したがって、比Ｊ１〜Ｊ８の中から、値の大きい比を特定することにより、肝臓の端部Ｅ１の近くに配置されているチャネルＣＨ１、ＣＨ２、ＣＨ５、およびＣＨ６を選択できることがわかる。
【０１３９】
そこで、チャネル選択手段８２は、比Ｊ１〜Ｊ８を値の大きい順に並び替え、値の大きい順に４つの比を特定する。ここでは、Ｊ１、Ｊ２、Ｊ５、およびＪ６が、値の大きい４つの比として特定される。したがって、チャネルＣＨ１〜ＣＨ８の中から、肝臓の端部Ｅ１の近くに配置されているチャネルＣＨ１、ＣＨ２、ＣＨ５、およびＣＨ６を選択することができる。
チャネルを選択した後、ステップＳＴ３に進む。
【０１４０】
ステップＳＴ３では、本スキャンＭＳが実行される。本スキャンＭＳでは、第１の形態と同様に、チャネルＣＨ１、ＣＨ２、ＣＨ５、およびＣＨ６の出力信号のみを合成し、呼吸信号が生成される。
【０１４１】
そして、第１の形態と同様に、期間Ｐ１〜Ｐｍの呼吸信号に基づいて、イメージング信号Ｂを受け入れる許容範囲ＡＷを設定し（図２７参照）、呼吸信号が許容範囲ＡＷに含まれていない場合はデータを再収集し、フローを終了する。
【０１４２】
第２の形態では、プレスキャンＰＳを実行し、プレスキャンＰＳにより収集されたＭＲ信号に基づいて、チャネルＣＨ１〜ＣＨ８のプロファイルＦ１〜Ｆ８を作成する。そして、プロファイルＦ１〜Ｆ８の比Ｊ１〜Ｊ８を算出する。比Ｊ１〜Ｊ８の値は、チャネルの配置位置に応じて、大きい値と小さい値に分けることができるので、比Ｊ１〜Ｊ８に基づいて、肝臓の端部Ｅ１の近くに配置されるチャネルを選択することができる。また、コイル４とは別のコイルを用いても、プレスキャンＰＳを実行することにより、当該別のコイルが有するチャネルの中から、肝臓の端部Ｅ１の近くに配置されたチャネルを選択することができる。したがって、データベースに、撮影に使用するコイルごとにチャネルを登録しておく必要がないので、データベースのメンテナンスに掛かる負担を軽減することもできる。
【０１４３】
第２の形態では、プロファイルの特性値として、プロファイルの積分値の比（Ｊ１〜Ｊ８）を算出している。しかし、チャネルＣＨ１、ＣＨ２、ＣＨ５、およびＣＨ６と、チャネルＣＨ３、ＣＨ４、ＣＨ７、およびＣＨ８とを区別することができるのであれば、積分値の比の代わりに別の特性値を求めてもよい。例えば、範囲ｚａ〜ｚｃの信号値の最大値と、範囲ｚｃ〜ｚｂの信号値の最大値とを算出し、最大値の比を、プロファイルの特性値としてもよい。
【０１４４】
尚、第２の形態では、チャネル選択手段８２は、肝臓の端部Ｅ１の近くに配置されるチャネルとして、４つのチャネルＣＨ１、ＣＨ２、ＣＨ５、およびＣＨ６を選択している。しかし、４つのチャネルＣＨ１、ＣＨ２、ＣＨ５、およびＣＨ６の全てを選択せずに、４つのチャネルＣＨ１、ＣＨ２、ＣＨ５、およびＣＨ６のうちの１チャネル、２チャネル、又は３チャネルのみを選択してもよい。図２１を参照しながら説明したように、チャネルＣＨ１、ＣＨ２、ＣＨ５、およびＣＨ６のどのチャネルでも、肝臓の動きを十分に反映した呼吸信号が得られる。したがって、４つのチャネルＣＨ１、ＣＨ２、ＣＨ５、およびＣＨ６のうちの少なくとも一つ以上のチャネルを選択しておけば、肝臓の動きを十分に反映した呼吸信号を得ることができる。
【０１４５】
第２の形態では、プレスキャンＰＳにおいて、スライスＬｃから磁気共鳴信号を収集し、各チャネルのプロファイルを作成している。しかし、スライスＬｃとは別のスライスから磁気共鳴信号を収集し、各チャネルのプロファイルを作成してもよい。また、複数のスライスから磁気共鳴信号を収集し、各チャネルのプロファイルを作成してもよい。更に、第２の形態では、プレスキャンＰＳは２Ｄスキャンであるが、３Ｄスキャンでもよい。
【０１４６】
（３）第３の形態
第３の形態では、コイル４が複数のコイルモードを有する場合について説明する。尚、コイル４以外のＭＲ装置のハードウエア構成は、第１の形態（図１参照）と同じである。
【０１４７】
第３の形態では、コイル４は、撮影条件に応じて、以下のコイルモードでＭＲ信号を受信することができるように構成されている。
【０１４８】
（１）コイルモードＭ１（チャネルＣＨ１＋ＣＨ２＋ＣＨ３＋ＣＨ４）
（２）コイルモードＭ２（チャネルＣＨ５＋ＣＨ６＋ＣＨ７＋ＣＨ８）
（３）コイルモードＭ３（チャネルＣＨ１＋ＣＨ２＋ＣＨ３＋ＣＨ４
＋ＣＨ５＋ＣＨ６＋ＣＨ７＋ＣＨ８）
【０１４９】
コイルモードＭ１は、４つのチャネルＣＨ１〜ＣＨ４でＭＲ信号を受信するモードを表している。コイルモードＭ２は、４つのチャネルＣＨ５〜ＣＨ８でＭＲ信号を受信するモードを表している。コイルモードＭ３は、８つのチャネルＣＨ１〜ＣＨ８でＭＲ信号を受信するモードを表している。
【０１５０】
図４０は、第３の形態においてメモリ９に記憶されているデータベースを示す図である。
データベースには、コイル４を表す項目ａと、コイル４が有するコイルモードを表す項目ａ１と、コイルモードが有するチャネルを表す項目ｂと、チャネルが肝臓の肺側の端部Ｅ１の近くに配置されるか否かを表す項目ｃが登録されている。項目ｃの記号「○」は、チャネルが肝臓の端部Ｅ１の近くに配置されることを示している。ここでは、チャネルＣＨ１、ＣＨ２、ＣＨ５、およびＣＨ６が、肝臓の端部Ｅ１の近くに配置されるチャネルとして登録されている。
【０１５１】
図４１は、第３の形態においてプロセッサが実行する処理の説明図である。
プロセッサ８は、メモリ９に記憶されているプログラムを読み出すことにより、コイルモード選択手段８０〜判断手段８４などを構成する。
【０１５２】
コイルモード選択手段８０は、操作部１０から入力された情報に基づいて、コイルモードＭ１〜Ｍ３の中から、撮影に使用するコイルモードを選択する。
スライス設定手段８１は、操作部１０から入力された情報に基づいて、スライスを設定する。
チャネル選択手段８２は、データベース（図４０参照）に基づいて、選択されたコイルモードが有するチャネルの中から、肝臓の端部Ｅ１（図３参照）の近くに配置されるチャネルを選択する。
呼吸信号生成手段８３は、チャネル選択手段８２により選択されたチャネルの出力信号に基づいて、呼吸信号を生成する。
判断手段８４は、イメージング信号を画像再構成の信号として受け入れるか否かを判断する。
【０１５３】
プロセッサ８は、コイルモード選択手段８０〜判断手段８４を構成する一例であり、所定のプログラムを実行することにより、これらの手段として機能する。
以下に、第３の形態におけるＭＲ装置の動作フローについて説明する。
【０１５４】
図４２は、第３の形態におけるＭＲ装置の動作フローを示す図である。
ステップＳＴ０では、ローカライザスキャンＬＳを実行する前に、オペレータが操作部１０を操作し、コイルモードＭ１〜Ｍ３の中から被検体を撮影するときに使用するコイルモードを選択するための情報を入力する。この情報が入力されると、コイルモード選択手段８０（図４１参照）は、操作部１０から入力された情報に基づいて、コイルモードＭ１〜Ｍ３の中から、被検体を撮影するときに使用するコイルモードを選択する。ここでは、コイルモードＭ１が選択されたとする。コイルモードＭ１を選択した後、ステップＳＴ１に進む。
【０１５５】
ステップＳＴ１では、コイルモードＭ１を用いてローカライザスキャンＬＳを実行する。ローカライザスキャンＬＳを実行することにより、画像Ｄ（図７参照）が取得される。ローカライザスキャンＬＳを実行した後、ステップＳＴ２に進む。
【０１５６】
ステップＳＴ２では、オペレータは、画像Ｄに基づいてスライスＬ１〜Ｌｎ（図８参照）を設定する。スライスＬ１〜Ｌｎを設定した後、ステップＳＴ３に進む。
【０１５７】
ステップＳＴ３では、本スキャンＭＳが実行される。
図４３は、第３の形態における本スキャンＭＳの説明図である。
先ず、期間Ｐ１において、シーケンスＣ１が実行される。シーケンスＣ１を実行することにより、スライスＬ１から、ＤＣ信号Ａ１１とイメージング信号Ｂ１１とが収集される。
【０１５８】
第３の形態では、コイルモードＭ１が選択されているので、ＤＣ信号Ａ１１およびイメージング信号Ｂ１１は、コイルモードＭ１のチャネルＣＨ１〜ＣＨ４の各々で受信される。尚、図４３では、説明の便宜上、ＤＣ信号Ａ１１がコイルモードＭ１のチャネルＣＨ１〜ＣＨ４の各々で受信される様子のみが示されている。チャネルＣＨ１〜ＣＨ４は、それぞれ信号Ａ１１，１〜Ａ１１，４を出力する。
【０１５９】
シーケンスＣ１を実行した後、シーケンスＣ２が実行される。シーケンスＣ２を実行することにより、スライスＬ２から、ＤＣ信号Ａ１２とイメージング信号Ｂ１２とが収集される。
【０１６０】
ＤＣ信号Ａ１２およびイメージング信号Ｂ１２は、コイルモードＭ１のチャネルＣＨ１〜ＣＨ４の各々で受信される。尚、図４３では、説明の便宜上、ＤＣ信号Ａ１２がコイルモードＭ１のチャネルＣＨ１〜ＣＨ４の各々で受信される様子のみが示されている。チャネルＣＨ１〜ＣＨ４は、それぞれ信号Ａ１２，１〜Ａ１２，４を出力する。
【０１６１】
以下同様に、スライスＬ３〜Ｌｎの各々からＤＣ信号およびイメージング信号を収集するためのシーケンスが実行される。そして、期間Ｐ１の最後に、スライスＬｎのデータを収集するためのシーケンスＣｎが実行される。シーケンスＣｎを実行することにより、スライスＬｎから、ＤＣ信号Ａ１ｎとイメージング信号Ｂ１ｎとが収集される。
【０１６２】
ＤＣ信号Ａ１ｎおよびイメージング信号Ｂ１ｎは、コイルモードＭ１のチャネルＣＨ１〜ＣＨ４の各々で受信される。尚、図４３では、説明の便宜上、ＤＣ信号Ａ１ｎがコイルモードＭ１のチャネルＣＨ１〜ＣＨ４の各々で受信される様子のみが示されている。チャネルＣＨ１〜ＣＨ４は、それぞれ信号Ａ１ｎ，１〜Ａ１ｎ，４を出力する。
【０１６３】
期間Ｐ１においてシーケンスＣ１〜Ｃｎを実行した後、以下のようにして呼吸信号を生成する。
【０１６４】
先ず、チャネル選択手段８２（図４１参照）が、データベース（図４０参照）を参照する。そして、チャネル選択手段８２は、データベースの項目ｃの情報に基づいて、コイルモードＭ１のチャネルＣＨ１〜ＣＨ４の中から、肝臓の端部Ｅ１の近くに配置されるチャネルとして登録されているチャネルＣＨ１およびＣＨ２を選択する。
【０１６５】
次に、呼吸信号生成手段８３（図４１参照）は、コイルモードＭ１のチャネルＣＨ１〜ＣＨ４のうち選択されていないチャネルＣＨ３およびＣＨ４の出力信号は破棄し、選択されたチャネルＣＨ１およびＣＨ２の出力信号のみを合成（加算）する。これにより、合成信号Ａ１が得られる。
【０１６６】
合成信号Ａ１を取得した後、呼吸信号生成手段８３は、合成信号Ａ１の積分値Ｓ１を算出する。積分値Ｓ１が、期間Ｐ１における被検体の呼吸信号の信号値として使用される。
【０１６７】
以下同様に、期間Ｐ２〜ＰｍにおいてもシーケンスＣ１〜Ｃｎが実行される。呼吸信号生成手段８３は、チャネルＣＨ３およびＣＨ４の出力信号は破棄し、選択されたチャネルＣＨ１およびＣＨ２の出力信号のみを合成（加算）する。そして、合成信号の積分値を算出する。したがって、期間Ｐ１〜Ｐｍにおける呼吸信号を求めることができる。
【０１６８】
そして、第１の形態と同様に、期間Ｐ１〜Ｐｍの呼吸信号に基づいて、イメージング信号Ｂを受け入れる許容範囲ＡＷを設定し（図２７参照）、呼吸信号が許容範囲ＡＷに含まれていない場合はデータを再収集し、フローを終了する。
【０１６９】
第３の形態では、コイルモードごとに、肝臓の端部Ｅ１の近くに配置されるチャネルが対応付けられている（図４０参照）。したがって、どのコイルモードが使用されても、肝臓の動きを反映した良好な呼吸信号を生成することができる。
【０１７０】
（４）第４の形態
第４の形態では、第３の形態と同様に、コイル４がコイルモードＭ１〜Ｍ３を有する場合について説明する。ただし、第４の形態では、データベースにチャネルを登録せずに、第２の形態のプレスキャンＰＳ（図３２参照）を用いてチャネルを選択する例について説明する。尚、コイル４以外のＭＲ装置のハードウエア構成は、第１の形態（図１参照）と同じである。
【０１７１】
図４４は、第４の形態においてプロセッサが実行する処理の説明図である。
プロセッサ８は、メモリ９に記憶されているプログラムを読み出すことにより、コイルモード選択手段８０〜判断手段８４などを構成する。
【０１７２】
コイルモード選択手段８０は、操作部１０から入力された情報に基づいて、コイルモードＭ１〜Ｍ３の中から、撮影に使用するコイルモードを選択する。
スライス設定手段８１は、操作部１０から入力された情報に基づいて、スライスを設定する。
プロファイル作成手段８１１は、プレスキャンＰＳにより収集されたＭＲ信号に基づいて、撮影部位のｚ方向における各位置と信号強度との関係を表すプロファイルを作成する。
チャネル選択手段８２は、プロファイル作成手段８１１により作成されたプロファイルに基づいて、選択されたコイルモードが有するチャネルの中から、肝臓の端部Ｅ１（図３参照）の近くに配置されるチャネルを選択する。
呼吸信号生成手段８３は、チャネル選択手段８２により選択されたチャネルの出力信号に基づいて、呼吸信号を生成する。
判断手段８４は、イメージング信号を画像再構成の信号として受け入れるか否かを判断する。
【０１７３】
プロセッサ８は、コイルモード選択手段８０〜判断手段８４を構成する一例であり、所定のプログラムを実行することにより、これらの手段として機能する。
以下に、第４の形態におけるＭＲ装置の動作フローについて説明する。
【０１７４】
図４５は、第４の形態におけるＭＲ装置の動作フローを示す図である。
ステップＳＴ０では、コイルモードが選択される。第４の形態でも、第３の形態と同様に、コイルモードＭ１が選択されたとする。コイルモードＭ１を選択した後、ステップＳＴ１に進む。
【０１７５】
ステップＳＴ１およびステップＳＴ２は第３の形態と同じであるので、詳しい説明は省略する。ステップＳＴ２においてスライスＬ１〜Ｌｎ（図８参照）を設定した後、ステップＳＴ２１に進む。
【０１７６】
ステップＳＴ２１では、コイルモードＭ１を用いてプレスキャンＰＳが実行される。
図４６はプレスキャンＰＳの説明図である。
プレスキャンＰＳでは、スライスＬ１〜Ｌｎのうちのいずれか一枚のスライスのみが励起され、励起された一枚のスライスからＤＣ信号Ａ０およびイメージング信号Ｂ０を収集する。第２の形態では、スライスＬ１〜Ｌｎのうちの中央のスライスＬｃを励起するとする。したがって、スライスＬｃからＤＣ信号Ａ０とイメージング信号Ｂ０とが収集される。
【０１７７】
第４の形態では、コイルモードＭ１が選択されているので、ＤＣ信号Ａ０およびイメージング信号Ｂ０は、コイルモードＭ１のチャネルＣＨ１〜ＣＨ４の各々で受信される。図４６では、説明の便宜上、イメージング信号Ｂ０がコイルモードＭ１のチャネルＣＨ１〜ＣＨ４の各々で受信される様子のみが示されている。尚、ＤＣ信号Ａ０およびイメージング信号Ｂ０のうち、チャネルの選択に使用される信号はイメージング信号Ｂ０であり、ＤＣ信号Ａ０はチャネルの選択には使用されない。
【０１７８】
チャネルＣＨ１〜ＣＨ４がイメージング信号Ｂ０を受信することにより、チャネルＣＨ１〜ＣＨ４は、それぞれ信号Ｂ０１〜Ｂ０４を出力する。
プリスキャンＰＳを実行した後、ステップＳＴ２２に進む。
【０１７９】
ステップＳＴ２２では、プロファイル作成手段８１１（図４４参照）が、チャネルＣＨ１〜ＣＨ８の出力信号Ｂ０１〜Ｂ０８の各々をｚ方向にフーリエ変換（ＦＴ：Fourier Transformation）する。これにより、図４７に示すように、プロファイルＦ１〜Ｆ４が作成される。
【０１８０】
プロファイルＦ１〜Ｆ４を作成したら、プロファイルごとに、積分値ＳｂとＳａの比を算出し、積分値の比を算出する。図４８に、プロファイルＦ１〜Ｆ４の比を、符号「Ｊ１」〜「Ｊ４」で示す。
【０１８１】
チャネル選択手段８２（図４４参照）は、比Ｊ１〜Ｊ４を値の大きい順に並び替え、値の大きい順に２つの比を特定する。これにより、チャネルＣＨ１〜ＣＨ４の中から、肝臓の端部Ｅ１の近くに配置されているチャネルＣＨ１およびＣＨ２を選択することができる。
チャネルを選択した後、ステップＳＴ３に進む。
【０１８２】
ステップＳＴ３では、本スキャンＭＳが実行される。第４の形態における本スキャンＭＳは、第３の形態における本スキャンＭＳ（図４３参照）と同様の手順で実行される。
【０１８３】
第４の形態では、第３の形態と同様に、どのコイルモードが使用されても、肝臓の動きを反映した良好な呼吸信号を生成することができる。
【０１８４】
また、第４の形態では、プレスキャンＰＳを実行し、プレスキャンＰＳにより収集されたＭＲ信号に基づいて、肝臓の端部Ｅ１の近くに配置されるチャネルを選択している。したがって、データベースに、撮影に使用するコイルモードごとにチャネルを登録しておく必要がないので、データベースのメンテナンスに掛かる負担を軽減することもできる。
【０１８５】
尚、第４の形態では、プレスキャンＰＳにおいて、スライスＬｃから磁気共鳴信号を収集し、各チャネルのプロファイルを作成している。しかし、スライスＬｃとは別のスライスから磁気共鳴信号を収集し、各チャネルのプロファイルを作成してもよい。また、複数のスライスから磁気共鳴信号を収集し、各チャネルのプロファイルを作成してもよい。更に、第４の形態では、プレスキャンＰＳは２Ｄスキャンであるが、３Ｄスキャンでもよい。
【０１８６】
また、第３および第４の形態では、オペレータが操作部１０から入力した情報に基づいて、コイルモード選択手段８０がコイルモードを選択している。しかし、オートコイルセレクション（Auto Coil Selection）の手法を用いて、コイルモード選択手段が自動でコイルモードを選択してもよい。
【０１８７】
第１〜第４の形態では、チャネルが受信した信号を加算することにより、合成信号を得ている。しかし、信号の合成は加算に限定されることはなく、例えば、信号を重付け加算することにより合成信号を得てもよいし、信号を乗算することにより合成信号を得てもよい。更に、第１〜第４の形態では、合成信号の積分値を呼吸信号の信号値として採用している。しかし、合成信号の積分値とは別の値（例えば、合成信号の最大値）を呼吸信号の信号値として用いてもよい。
【０１８８】
第１〜第４の形態では、ｋ空間の中心のデータを表すＤＣ信号に基づいて呼吸信号を作成している。しかし、ＤＣ信号とは別のＭＲ信号に基づいて呼吸信号を生成してもよい。
【０１８９】
第１〜第４の形態では、本スキャンＭＳは２Ｄスキャンであるが、３Ｄスキャンでもよい。
【０１９０】
また、第１〜第４の形態では、呼吸信号を取得する例について示されている。しかし、本発明は呼吸信号の取得に限定されることはない。例えば、心臓を撮影する場合には、心臓の拍動の情報を含む生体信号を取得することができる。
【符号の説明】
【０１９１】
２  マグネット
３  テーブル
３ａ  クレードル
４  コイル
５  送信器
６  勾配磁場電源
７  制御部
８  プロセッサ
９  メモリ
１０  操作部
１１  表示部
１２  被検体
２１  ボア
８０  コイルモード選択手段
８１  スライス設定手段
８２  チャネル選択手段
８３  呼吸信号生成手段
８４  判断手段
１００  ＭＲ装置
【図１】
2015163109.tif 000003
【図２】
2015163109.tif 000004
【図３】
2015163109.tif 000005
【図４】
2015163109.tif 000006
【図５】
2015163109.tif 000007
【図６】
2015163109.tif 000008
【図７】
2015163109.tif 000009
【図８】
2015163109.tif 000010
【図９】
2015163109.tif 000011
【図１０】
2015163109.tif 000012
【図１１】
2015163109.tif 000013
【図１２】
2015163109.tif 000014
【図１３】
2015163109.tif 000015
【図１４】
2015163109.tif 000016
【図１５】
2015163109.tif 000017
【図１６】
2015163109.tif 000018
【図１７】
2015163109.tif 000019
【図１８】
2015163109.tif 000020
【図１９】
2015163109.tif 000021
【図２０】
2015163109.tif 000022
【図２１】
2015163109.tif 000023
【図２２】
2015163109.tif 000024
【図２３】
2015163109.tif 000025
【図２４】
2015163109.tif 000026
【図２５】
2015163109.tif 000027
【図２６】
2015163109.tif 000028
【図２７】
2015163109.tif 000029
【図２８】
2015163109.tif 000030
【図２９】
2015163109.tif 000031
【図３０】
2015163109.tif 000032
【図３１】
2015163109.tif 000033
【図３２】
2015163109.tif 000034
【図３３】
2015163109.tif 000035
【図３４】
2015163109.tif 000036
【図３５】
2015163109.tif 000037
【図３６】
2015163109.tif 000038
【図３７】
2015163109.tif 000039
【図３８】
2015163109.tif 000040
【図３９】
2015163109.tif 000041
【図４０】
2015163109.tif 000042
【図４１】
2015163109.tif 000043
【図４２】
2015163109.tif 000044
【図４３】
2015163109.tif 000045
【図４４】
2015163109.tif 000046
【図４５】
2015163109.tif 000047
【図４６】
2015163109.tif 000048
【図４７】
2015163109.tif 000049
【図４８】
2015163109.tif 000050